【手続補正書】
【提出日】平成28年3月18日(2016.3.18)
【手続補正１】
【補正対象書類名】特許請求の範囲
【補正対象項目名】全文
【補正方法】変更
【補正の内容】
【特許請求の範囲】
【請求項１】
ゲーブルトップ型の包装容器であって、
底部と、前記底部から密封上部フィン（１１０）を延在する複数の直立壁と、を備えており、
前記直立壁は、後方壁（１０６）及び前方壁（１０２）に隣接する第１の側壁（１０４）を含み、前記前方壁（１０２）は、第２の側壁（１０５）に隣接しており、前記第２の側壁（１０５）は、前記後方壁（１０６）に隣接しており、
前記前方壁（１０２）は、前方移行領域（Ｔ）を介して前方のゲーブルパネル（１０８）と連続しており、前記後方壁（１０６）は、後方移行領域を介して後方のゲーブルパネルと連続しており、前記前方壁（１０２）及び前記後方壁（１０６）は、密封上部フィンまで延在しており、
前記第１の側壁（１０４）は第１の側部ゲーブルパネルに接続しており、前記第２の側壁（１０５）は第２の側部ゲーブルパネルに接続し、
隣接する直立壁は、前記包装容器の長手方向において延在する折り目線によって分離されており、前記前方壁及び前記後方壁は、前記前方移行領域及び前記後方移行領域において傾斜した湾曲にそれぞれ追従することを特徴とする、ゲーブルトップ型の包装容器。
【請求項２】
前記第１の側部ゲーブルパネルは、湾曲折り目線によって第１の側壁から分離されており、前記湾曲折り目線は、前記包装容器の横断方向において延在しており、前記包装容器の前記底部に向けて突出する少なくとも１つの凸状区画を有する、請求項１に記載のゲーブルトップ型の包装容器。
【請求項３】
前記湾曲折り目線は、閉鎖経路に追従しており、
それによって、前記側部ゲーブルパネルは、対応する側壁を画定する２つの長手方向折り目線の制約内に制限され、湾曲折り目線の２つの端部が出会う上部フィンに向けて上方に延在する、請求項２に記載のゲーブルトップ型の包装容器。
【請求項４】
前記湾曲折り目線（１１６）が長手方向折り目線（２１２）に最も近接する領域（Ｂ）において、前記湾曲折り目線の性質は、前記湾曲折り目線が前記長手方向折り目線に向けて湾曲凸状形状を有すること、前記湾曲折り目線が不連続であること、前記湾曲折り目線と前記長手方向折り目線との間に間隙が存在すること、前記湾曲折り目線が前記長手方向折り目線と接すること、前記湾曲折り目線及び前記長手方向折り目線が１つの折り目線に併合すること、前記長手方向折り目線は不連続性を有すること、又はそれらの組み合わせを備えるグループから選択される、請求項２又は３に記載のゲーブルトップ型の包装容器。
【請求項５】
湾曲折り目線はまた、領域（Ｂ）と２つの端部が出会う位置との間に凹状区画を備える、請求項４に記載のゲーブルトップ型の包装容器。
【請求項６】
湾曲折り目線は、長手方向軸においてミラーされるように対称的である、請求項２〜５のいずれか一項に記載のゲーブルトップ型の包装容器。
【請求項７】
前記第２の側部ゲーブルパネルは、前記第１の側部ゲーブルパネルと同一の湾曲折り目線を有する、請求項１〜６のいずれか一項に記載のゲーブルトップ型の包装容器。
【請求項８】
請求項１に記載の包装容器のためのブランクであって、
前記ブランクは、底縁部から前記ブランク（２００）の上縁部へ延在する４つの長手方向折り目線（２１２，２１４，２１６，２１８）を備えており、
前記４つの長手方向折り目線（２１２，２１４，２１６，２１８）は、前記ブランクを５つのパネルに分割しており、
前記５つのパネルは、
第１のパネル（２０２）であって、折り目線によって分割されない連続領域を備え、折り畳まれた場合に、後方壁と、後方のゲーブルパネルと、前記後方壁と前記後方のゲーブルパネルとの間の移行領域とを形成する、第１のパネル（２０２）と、
前記第１のパネル（２０２）に隣接する第２のパネル（２０４）であって、第１の長手方向折り目線（２１２）によって分離されており、折り畳まれた場合に、第１の側壁及び第１のゲーブルパネルを形成する、第２のパネル（２０４）と、
前記第２のパネル（２０４）に隣接している第３のパネル（２０６）であって、第２の長手方向折り目線（２１４）によって分離されており、折り目線によって分割されていない連続領域を備え、折り畳まれた場合に、前方壁と、前方のゲーブルパネルと、前記前方壁と前記前方のゲーブルパネルとの間の移行領域とを形成する、第３のパネル（２０６）と、
前記第３のパネル（２０６）に隣接して続く第４のパネル（２０８）であって、第３の長手方向折り目線（２１６）によって分離されており、折り畳まれた場合に第２の側壁及び第２のゲーブルパネルを形成する、第４のパネル（２０８）と、
第５のパネル（２１０）であって、前記第１のパネル（２０２）に最終的に密封され、第４の長手方向折り目線（２１８）によって前記第４のパネル（２０８）から分離される、第５のパネル（２１０）と、
からなる、包装容器のためのブランク。
【請求項９】
前記第２のパネル及び／又は前記第４のパネルは、横断方向に延在する湾曲折り目線の形態である上部折り目パターンを備え、底部折り目パターンの方向に突出する凸状区画を有する、請求項８に記載のブランク。
【請求項１０】
前記湾曲折り目線は閉鎖経路に追従し、
それにより、前記側部ゲーブルパネルは、対応する側壁を画定する２つの長手方向折り目線の制約内に制限され、湾曲折り目線の２つの端部が出会う上部フィンに向けて上方に延在する、請求項９に記載のブランク。
【請求項１１】
前記湾曲折り目線（１１６）が長手方向折り目線（２１２）に最も近接する領域（Ｂ）において、前記湾曲折り目線の性質は、前記湾曲折り目線が前記長手方向折り目線に向けて湾曲凸状形状を有すること、前記湾曲折り目線が不連続であること、前記湾曲折り目線と前記長手方向折り目線との間に間隙が存在すること、前記湾曲折り目線が前記長手方向折り目線と接すること、前記湾曲折り目線及び前記長手方向折り目線が１つの折り目線に併合すること、前記長手方向折り目線は不連続性を有すること、又はそれらの組み合わせを備えるグループから選択される、請求項９又は１０に記載のブランク。
【請求項１２】
前記湾曲折り目線はまた、領域（Ｂ）と、２つの端部が出会う位置との間に凹状区画（Ｃ）を備える、請求項９〜１１のいずれか一項に記載のブランク。
【請求項１３】
前記湾曲折り目線は、長手方向軸において本質的にミラーされるように対称とされ、前記側部ゲーブルパネルに別個の水滴形状を与える、請求項９〜１２のいずれか一項に記載のブランク。
【請求項１４】
請求項８に記載のブランクを製造する方法であって、
包装材料のウェブに折り目パターンを提供するステップと、
前記包装材料のウェブを分離した複数のブランクに切断するステップと、
を備える、請求項８に記載のブランクを製造する方法。
【請求項１５】
包装材料のウェブを、材料の積層された層が設けられたペーパーコアから形成するステップと、
包装材料の形成されたウェブに、それらの一の側にプリントを提供するステップと、
により先にされる、請求項１４に記載の方法。
【請求項１６】
請求項１に記載のゲーブルトップ型の包装容器を製造する方法であって、
平坦な形状から、開いた上端部及び底端部を有する包装容器の形状へブランクを隆起させるステップと、
隆起したブランクをマンドレルに配置するステップと、
前記包装容器の一方の端部、すなわち、上端部又は底端部を折り畳み、且つ密封するステップと、
前記包装容器の内部を無菌化するステップと
前記包装容器を充填するステップと、
前記包装容器の他方の端部、すなわち、底端部又は上端部を折り畳み、且つ密封するステップと、
を備える、請求項１に記載のゲーブルトップ型の包装容器を製造する方法。